(57)【要約】【課題】  高速シリアルデータを分割して複数の低速並列データとして伝送する場合に、オーバーヘッド情報をトランスペアレントに伝送することを可能にしたＷＤＭデータ伝送方式を得る。【解決手段】  送信装置１００におて、トランスポンダ送信部で、高速シリアルデー（ＳＴＭ−６４）を低速データ（ＳＴＭ−１６）に４分割する際に、ＳＴＭ−６４の必要なオーバーヘッド情報を、ＳＴＭ−１６の未定義オーバヘッドバイトの位置に一旦転写する。そして、光ファイバ４によりＷＤＭ伝送する際にはＳＴＭ−１６として伝送する。受信装置３００において、トランスポンダ受信部６で、このＳＴＭ−１６信号の未定義オーバーヘッドバイトに移動していたオーバーヘッド情報を、再びＳＴＭ−６４の定義バイトの位置に戻すことで、ＳＴＭ−６４としてトランスペアレントな伝送を実現する。【選択図】      図１                                                  
2005333286.tif 000002
【特許請求の範囲】
【請求項１】
オーバーヘッド情報とペイロード情報とを含む高速シリアルデータを複数に分割して、より低速の並列データに変換して伝送するデータ伝送システムであって、
前記高速シリアルデータを分割して複数の並列データに変換すると共に、前記高速シリアルデータのオーバーヘッド情報を、前記並列データにおけるオーバーヘッドの未定義位置に転写して、前記複数の並列データを送信する送信手段と、
受信した前記複数の並列データを多重化して前記高速シリアルデータに変換すると共に、前記未定義位置に転写されている情報を前記高速シリアルデータのオーバーヘッドの定義位置に戻す受信手段と、
を含むことを特徴とするデータ伝送システム。
【請求項２】
前記高速シリアルデータは光信号であり、前記送信手段は、前記光信号を電気信号に変換する手段と、この電気信号を前記複数の並列データに分割する手段と、これら変換された並列データの各々を互いに異なる波長の光信号に変換する手段と、これら波長の異なる光信号を多重化して送信する手段とを有することを特徴とする請求項１記載のデータ伝送システム。
【請求項３】
前記受信手段は、多重化された光信号を波長分離する手段と、これら波長分離された光信号の各々を電気信号に変換する手段と、これら電気信号を多重化する手段とを有することを特徴とする請求項２記載のデータ伝送システム。
【請求項４】
前記送信手段と前記受信手段との間に設けられた再生中継手段を、更に含むことを特徴とする請求項１〜３いずれか記載のデータ伝送システム。
【請求項５】
オーバーヘッド情報とペイロード情報とを含む高速シリアルデータを複数に分割して、より低速の並列データに変換して伝送するデータ伝送システムにおける送信装置であって、
前記高速シリアルデータを分割して複数の並列データに変換すると共に、前記高速シリアルデータのオーバーヘッド情報を、前記並列データにおけるオーバーヘッドの未定義位置に転写して、前記複数の並列データを送信する送信手段を含むことを特徴とする送信装置。
【請求項６】
前記高速シリアルデータは光信号であり、前記送信手段は、前記光信号を電気信号に変換する手段と、この電気信号を前記複数の並列データに分割する手段と、これら変換された並列データの各々を互いに異なる波長の光信号に変換する手段と、これら波長の異なる光信号を多重化して送信する手段とを有することを特徴とする請求項５記載の送信装置。
【請求項７】
高速シリアルデータを分割して複数の並列データに変換すると共に、前記高速シリアルデータのオーバーヘッド情報を、前記並列データにおけるオーバーヘッドの未定義位置に転写して、前記複数の並列データを送信するようにしたデータ伝送システムにおける受信装置であって、
前記複数の並列データを多重化して前記高速シリアルデータに変換すると共に、前記未定義位置に転写されている情報を前記高速シリアルデータのオーバーヘッドの定義位置に戻す受信手段を含むことを特徴とする受信装置。
【請求項８】
前記複数の並列データの各々は互いに異なる波長の光信号に変換されて多重化されており、前記受信手段は、多重化された光信号を波長分離する手段と、これら波長分離された光信号の各々を電気信号に変換する手段と、これら電気信号を多重化する手段とを有することを特徴とする請求項７記載の受信装置。
【請求項９】
オーバーヘッド情報とペイロード情報とを含む高速シリアルデータを複数に分割して、より低速の並列データに変換して伝送するデータ伝送方法であって、
前記高速シリアルデータを分割して複数の並列データに変換すると共に、前記高速シリアルデータのオーバーヘッド情報を、前記並列データにおけるオーバーヘッドの未定義位置に転写して、前記複数の並列データを送信する送信ステップと、
受信した前記複数の並列データを多重化して前記高速シリアルデータに変換すると共に、前記未定義位置に転写されている情報を前記高速シリアルデータのオーバーヘッドの定義位置に戻す受信ステップと、
を含むことを特徴とするデータ伝送方法。
【請求項１０】
前記高速シリアルデータは光信号であり、前記送信ステップは、前記光信号を電気信号に変換するステップと、この電気信号を前記複数の並列データに分割するステップと、これら変換された並列データの各々を互いに異なる波長の光信号に変換するステップと、これら波長の異なる光信号を多重化して送信するステップとを有することを特徴とする請求項９記載のデータ伝送方法。
【請求項１１】
前記受信ステップは、多重化された光信号を波長分離するステップと、これら波長分離された光信号の各々を電気信号に変換するステップと、これら電気信号を多重化するステップとを有することを特徴とする請求項１０記載のデータ伝送方法。
【請求項１２】
前記送信ステップの後に信号再生中継ステップを、更に含むことを特徴とする請求項９〜１１いずれか記載のデータ伝送方法。
【発明の詳細な説明】
【技術分野】
【０００１】
本発明はデータ伝送システム及びその方法並びにそれに用いる送信装置及び受信装置に関し、特にＳＴＭ（Synchronous Transfer Module ）信号の長距離伝送に適したデータ伝送方式に関するものである。
【背景技術】
【０００２】
ＷＤＭ（Wavelength Division Multiplexing）伝送に使用する光ファイバのＰＭＤ（Polarization Mode Dispersion）、分散、ＳＮ劣化が大きい場合に伝送距離が制限される。例えば、ＳＭＦ（Single Mode Fiber ）ファイバの場合、ＳＴＭ−１６信号は、ＰＭＤ耐力では、ＳＴＭ−６４の４倍であり、分散に対する耐力では、ＳＴＭ−６４の１６倍であり、ＳＮ劣化の耐力では、ＳＴＭ−６４の４倍である。
【０００３】
そのために、ＷＤＭ伝送を行うにあたり、伝送距離制限を緩和するために、光信号を分割することにより、ビットレートを１／ｎにして伝送することが有効であることが知られている（例えば、特許文献１参照）。
【特許文献１】特開２００２−１４１８８３号公報
【発明の開示】
【発明が解決しようとする課題】
【０００４】
ＳＴＭ−６４信号を、例えば、ＳＴＭ−１６信号並の長距離伝送を可能とするためには、ＳＴＭ−６４を４分割し、ＳＴＭ−１６のビットレートまでレートを下げることで、実現可能となるが、この４分割された信号は、そのまま、バイト分離した場合、ＳＴＭ−６４オーバーヘッド情報を元に生成されたＳＴＭ−１６のオーバーヘッド情報は、本来のＳＴＭ−１６とは異なる情報が入っていることになる。すなわち、従来は、ＳＴＭ−６４を送信側で４分割する際に、オーバーヘッド情報はＳＴＭ−１６オーバーヘッド位置へ転写し、受信側では、ＳＴＭ−１６のオーバーヘッドデータをそのままＳＴＭ−６４へ多重化、再生するために、ＷＤＭ伝送区間中は、ＳＴＭ−１６とは異なるオーバーヘッド情報で転送されることになる。
【０００５】
また、通常のＷＤＭ長距離伝送する際に、１つのトランスポンダでは伝送可能距離に制限があり、その距離制限以上に長距離伝送を実現したい場合、再生中継トランスポンダを使用し、伝送途中で再生中継することで、長距離まで伝送することが可能となることが知られているが、ＳＴＭ−１６用再生中継トランスポンダは、ＳＴＭ−１６のオーバーヘッド情報を期待して動作しているため、ＳＴＭ−６４を単純に４分割したＳＴＭ−１６レートの信号を伝送した場合、オーバーヘッド情報のＢ１エラー情報や、Ｊ０情報等が、再生中継トランスポンダの期待値と異なるため、Ｂ１エラー警報や、Ｊ０ミスマッチ警報を検出してしまう、という問題点がある。
【０００６】
本発明の目的は、ＳＴＭ−６４信号のような高速シリアルデータを分割して複数の並列データである、例えばＳＴＭ−１６信号として伝送する場合に、オーバーヘッド情報をトランスペアレントに伝送することを可能にしたＷＤＭデータ伝送システム及びその方法並びにそれに用いる送信装置及び受信装置を提供することである。
【課題を解決するための手段】
【０００７】
本発明によるデータ伝送システムは、オーバーヘッド情報とペイロード情報とを含む高速シリアルデータを複数に分割して、より低速の並列データに変換して伝送するデータ伝送システムであって、前記高速シリアルデータを分割して複数の並列データに変換すると共に、前記高速シリアルデータのオーバーヘッド情報を、前記並列データにおけるオーバーヘッドの未定義位置に転写して、前記複数の並列データを送信する送信手段と、受信した前記複数の並列データを多重化して前記高速シリアルデータに変換すると共に、前記未定義位置に転写されている情報を前記高速シリアルデータのオーバーヘッドの定義位置に戻す受信手段とを含むことを特徴とする。
【０００８】
本発明による送信装置は、オーバーヘッド情報とペイロード情報とを含む高速シリアルデータを複数に分割して、より低速の並列データに変換して伝送するデータ伝送システムにおける送信装置であって、前記高速シリアルデータを分割して複数の並列データに変換すると共に、前記高速シリアルデータのオーバーヘッド情報を、前記並列データにおけるオーバーヘッドの未定義位置に転写して、前記複数の並列データを送信する送信手段を含むことを特徴とする。
【０００９】
本発明による受信装置は、高速シリアルデータを分割して複数の並列データに変換すると共に、前記高速シリアルデータのオーバーヘッド情報を、前記並列データにおけるオーバーヘッドの未定義位置に転写して、前記複数の並列データを送信するようにしたデータ伝送システムにおける受信装置であって、前記複数の並列データを多重化して前記高速シリアルデータに変換すると共に、前記未定義位置に転写されている情報を前記高速シリアルデータのオーバーヘッドの定義位置に戻す受信手段を含むことを特徴とする。
【００１０】
本発明によるデータ伝送方法は、オーバーヘッド情報とペイロード情報とを含む高速シリアルデータを複数に分割して、より低速の並列データに変換して伝送するデータ伝送方法であって、前記高速シリアルデータを分割して複数の並列データに変換すると共に、前記高速シリアルデータのオーバーヘッド情報を、前記並列データにおけるオーバーヘッドの未定義位置に転写して、前記複数の並列データを送信する送信ステップと、受信した前記複数の並列データを多重化して前記高速シリアルデータに変換すると共に、前記未定義位置に転写されている情報を前記高速シリアルデータのオーバーヘッドの定義位置に戻す受信ステップとを含むことを特徴とする。
【００１１】
本発明の作用を述べる。送信側におて、高速シリアルデータ（ＳＴＭ−６４）を低速データ（ＳＴＭ−１６）に４分割する際に、ＳＴＭ−６４の必要なオーバーヘッド情報（定義されているオーバーヘッドバイトの情報）を、ＳＴＭ−１６の未定義オーバヘッドバイトの位置に一旦転写し、ＷＤＭ伝送する際には、ＳＴＭ−１６として伝送する。受信側では、このＳＴＭ−１６信号の未定義オーバーヘッドバイトに移動していたオーバーヘッド情報を、再び、ＳＴＭ−６４の定義バイトの位置に戻すことで、ＳＴＭ−６４としてトランスペアレントな伝送を実現可能とする。
【発明の効果】
【００１２】
本発明によれば、ＳＴＭ−６４オーバーヘッド情報を、送信側では一旦ＳＴＭ−１６の未定義バイトに収容し、再度、受信側でＳＴＭ−６４オーバーヘッド位置へ戻すことにより、オーバーヘッドの透過転送が実現できるという効果がある。また、ＳＴＭ−１６の未使用バイトを利用してＳＴＭ−６４オーバーヘッドを転送しているので、ＷＤＭ伝送区間中のＳＴＭ−１６のオーバーヘッド情報をクライアントのオーバーヘッド情報とは独立して利用することが可能となるという効果もある。
【発明を実施するための最良の形態】
【００１３】
以下に、図面を参照しつつ本発明の実施の形態について詳細に説明する。図１は本発明の実施の形態のシステム構成図であり、ＷＤＭ伝送システムのブロック図を示す。図１を参照すると、本システムは、送信装置１００と、光伝送路２００と、受信装置３００とを含む。送信装置１００は、ＳＴＭ−６４クライアント伝送装置送信部１と、トランスポンダ送信部２と、光多重部３とからなり、光伝送路２００は光ファイバ４からなる。また、受信装置３００は、光分離部５と、トランスポンダ受信部６と、ＳＴＭ−６４クライアント伝送装置受信部７とからなる。トランスポンダ送信部２は図２に示す構成であり、また、トランスポンダ受信部６は図３に示す構成である。
【００１４】
これら図１〜図３を参照すると、ＳＴＭ−６４クライアント伝送装置送信部１から出力されるＳＴＭ−６４クライアント信号（９．９５Ｇｂｐｓ）は、トランスポンダ送信部２内の光／電気変換回路２１にて光／電気変換され、ＳＴＭ−６４の電気信号が電気分離回路２２にて４つのＳＴＭ−１６（２．４８８Ｇｂｐｓ）の電気信号に分離される。電気分離回路２２にて、ＳＴＭ−６４電気信号のペイロード情報が順番に４つのＳＴＭ−１６電気信号のペイロード部分に転写される。また、ここでは、ＳＴＭ−６４オーバーヘッド情報を４本のＳＴＭ−１６信号に分離する際に、ＳＴＭ−６４オーバーヘッド情報が、ＳＴＭ−１６オーバーヘッドの未定義バイトへ転写される。
【００１５】
ＳＴＭ−１６オーバーヘッドの未定義バイトにＳＴＭ−６４の情報を付加した４本のＳＴＭ−１６電気信号は、電気／光変換回路２３にて電気／光変換され、ＷＤＭ伝送するための所定の波長光（λ1 、λ2 、λ3 、λ4 ）となって出力される。４本のλ1 〜λ4 の波長となった光信号（ＳＴＭ−１６信号）は、光多重部３にて波長多重され長距離伝送用の光ファイバ４にて伝送される。
【００１６】
光ファイバ４にて伝送されたＷＤＭ信号光が光分離部５にてλ1 〜λ4 の４本の光信号に分離される。分離されたＳＴＭ−１６光信号は、トランスポンダ受信部６内の光／電気変換回路６１にて、それぞれ光／電気変換されてＳＴＭ−１６電気信号となる。電気多重回路６２では、このＳＴＭ−１６電気信号のオーバーヘッド内の未定義バイトに転写されているＳＴＭ−６４のオーバーヘッド情報を取り出すことによって、４本のＳＴＭ−１６オーバーヘッドから、ＳＴＭ−６４オーバーヘッドを再生することが出来る。また、４本のＳＴＭ−１６のペイロードデータから、ＳＴＭ−６４のペイロードデータも再生される。ＳＴＭ−６４電気信号は電気／光変換回路６３にてＳＴＭ−６４光信号に変換され、クライアント伝送装置受信部７へ出力される。
【００１７】
このようにして、本発明では、ＳＴＭ−６４信号を分離し、ペイロード情報のみならず、オーバーヘッドまで含めて伝送することが可能となり、定義オーバーヘッドを含むトランスペアレントな伝送を可能とすることができる。
【００１８】
以下に、本発明の具体的実施例としての波長多重分割伝送システムについて説明する。図１において、クライアント伝送装置送信部１は、ＳＴＭ−６４（９．９５Ｇｂｐｓ）の信号を出力し、対向側のクライアント伝送装置受信部７対して９．９５Ｇｂｐｓの伝送レートで通信を行う。また、ＷＤＭ伝送装置では、クライアントインタフェースとしてＳＴＭ−６４とＳＴＭ−１６とを混在して伝送することは珍しくない。
【００１９】
図２に示すように、トランスポンダ送信部２は、クライアント伝送装置送信部１からのＳＴＭ−６４（９．９５Ｇｂｐｓ）信号をＷＤＭ伝送に適した光波長に変換し出力する。この際、光ファイバ４での分散やＰＭＤ、ＳＮ劣化による伝送距離を制限する要因の影響により９．９５ＧｂｐｓそのままではＳＴＭ−１６（２．４８８Ｇｂｐｓ）と同等の伝送距離を実現することができない。９．９５Ｇｂｐｓを伝送するためには、９．９５Ｇｂｐｓを一旦２．４８８Ｇｂｐｓの伝送レートに落とし、４本の信号に分離する。すなわち、ＳＴＭ−６４信号を４本のＳＴＭ−１６の信号に分離する。
【００２０】
トランスポンダ送信部２では、４本に分離された２．４８８Ｇｂｐｓの光信号は、ＷＤＭ伝送に適した４種の波長λ1 、λ2 、λ3 、λ4 としてそれぞれ出力される。光多重部３は、ＷＤＭ伝送に用いるλ1 〜λ4 の光信号を多重する。多重化されたＷＤＭ信号は光ファイバ４へ送出される。
【００２１】
光ファイバ４内に伝送されるＷＤＭ信号は光分離部５にて、再び４種の波長λ1 〜λ4 の光信号にそれぞれ分離され、個々に出力される。トランスポンダ受信部６では、波長λ1 〜λ4 にて伝送された２．４８８Ｇｂｐｓの光信号をそれぞれ光／電気変換し、ＳＴＭ−１６電気信号を得る。４つのＳＴＭ−１６電気信号を再び多重し、ＳＴＭ−６４電気信号を再生する。ＳＴＭ−６４電気信号は電気／光変換され、ＳＴＭ−６４光信号となってクライアント伝送装置受信部７へ出力される。
【００２２】
図２において、光／電気変換回路２１はクライアント伝送装置送信部１からのＳＴＭ−６４信号を電気／光変換し、ＳＴＭ−６４の電気信号を得る。ＳＴＭ−６４の電気信号は、電気分離回路２２にて４本のＳＴＭ−１６の電気信号に分離される。この４本のＳＴＭ−１６電気信号に分離する際に、ＳＴＭ−６４のペイロードデータは、順番に、例えば１６バイト毎にＳＴＭ−１６のペイロードデータへ転写される。また、ＳＴＭ−６４のオーバーヘッドデータは、ＳＴＭ−１６の未定義オーバーヘッドの位置に転写される。
【００２３】
ＳＴＭ−６４のオーバーヘッドデータをＳＴＭ−１６の未定義オーバーヘッドバイトに、また、ＳＴＭ−６４ペイロードデータの内の１／４のデータをペイロードに転写したＳＴＭ−１６信号は、電気／光変換回路２３にて、λn （n ＝１〜４）波長の光信号に変換されて出力される。
【００２４】
図３において、光／電気変換回路６１は、λ1 〜λ4 の４波長にて伝送された光信号をＳＴＭ−１６電気信号に変換する。電気多重回路６２において、４本のＳＴＭ−１６電気信号は元のＳＴＭ−６４電気信号に多重化される。この際、ＳＴＭ−１６信号の未定義オーバーヘッドに転写されているオーバーヘッド情報は、元のＳＴＭ−６４のオーバーヘッドの位置に戻される。また、ペイロードデータも、ＳＴＭ−６４のペイロードに戻される。
【００２５】
なお、図１の光（波長）多重部３、光ファイバ４、光（波長）分離部５は、当業者にとってよく知られており、また本発明とは直接関係しないので、その詳細な構成は省略する。
【００２６】
図２に示した電気分離回路２２でのオーバーヘッドの分離動作について、図４にその概略を、また図５にその具体例を、それぞれ示している。図５において、ＳＴＭ−６４の定義されているオーバーヘッドデータ＃１（図中の１０１）は、ＳＴＭ−１６Ｎｏ．１の未定義バイトの＃１（図中の１０２）に転写される。同様にして、ＳＴＭ−６４の定義されているオーバーヘッドデータの＃２（図中の１０３）はＳＴＭ−１６Ｎｏ．２の未定義バイトの＃２（図中の１０４）に転写される。以下、ＳＴＭ−６４の定義されているオーバーヘッドデータは、ＳＴＭ−１６の未定義バイト部分に転写される。また、ここで生成されるＳＴＭ−１６＃１〜＃４の定義オーバーヘッドバイトには、新たなオーバーヘッド情報が挿入される。
【００２７】
次に図２の電気分離回路２２でのペイロード分離の動作を図６を使用して説明する。図６においてＳＴＭ−６４のペイロードデータ＃１（図中の２０１）はＳＴＭ−１６Ｎｏ．１の＃１（図中の２０２）に転写される。同様にして、ＳＴＭ−６４のペイロードデータ＃２（図中の２０３）はＳＴＭ−１６Ｎｏ．２の＃２（図中の２０４）に転写される。以下、ＳＴＭ−６４のペイロードデータはＳＴＭ−１６Ｎｏ．１〜Ｎｏ．４に転写される。
【００２８】
次に、図３の電気多重回路６２でのオーバーヘッドの多重、再生の動作についを図７に示している。図７において、ＳＴＭ−１６Ｎｏ．１の未定義オーバーヘッド位置に格納されているオーバーヘッドデータの＃１（図中の１０１）はＳＴＭ−６４オーバーヘッド＃１（図中の１０２）に転写される。同様にして、ＳＴＭ−１６Ｎｏ．２の未定義に格納されているオーバーヘッドデータの＃２（図中の１０３）はＳＴＭ−６４オーバーヘッド＃２（図中の１０４）に転写される。以下、ＳＴＭ−１６Ｎｏ．１〜Ｎｏ．４の未定義オーバーヘッド位置に格納されているオーバーヘッドデータはＳＴＭ−６４オーバーヘッドに転写される。
【００２９】
次に、図３の電気多重回路６２でのペイロードデータの多重、再生動作を図８に示している。図８において、ＳＴＭ−１６Ｎｏ．１のペイロードデータ＃１（図中の１０１）はＳＴＭ−６４の＃１（図中の１０２）に転写される。同様にして、ＳＴＭ−１６Ｎｏ．２のペイロードデータ＃２（図中の１０３）はＳＴＭ−６４の＃２（図中の１０４）に転写される。以下、ＳＴＭ−１６Ｎｏ．１〜Ｎｏ．４のペイロードデータはＳＴＭ−６４に転写される。
【００３０】
本発明の他の実施の形態として、その基本的構成は上記の実施の形態と同様であるが、トランスペアレントな長距離伝送についてさらに工夫している。その構成を図９に示しており、図１と同等部分は同一符号にて示している。図９において、トランスポンダ送信部２とトランスポンダ受信部６との間のＷＤＭ伝送において、伝送距離を長距離化するために、ＳＴＭ−１６再生中継トランスポンダ装置９を挿入している。この再生中継トランスポンダ装置９は、通常、さらに伝送距離を伸ばしたい場合に用いるものである。
【００３１】
従来は、トランスポンダ送信部で生成されるオーバーヘッドがＳＴＭ−１６の情報とは異なるため、ＳＴＭ−１６再生中継トランスポンダ装置をそのまま使用すると、Ｂ１情報誤りエラーやＪ０誤りエラーが発生してしまうという問題があった。そこで、本例では、トランスポンダ送信部２にてＳＴＭ−１６オーバーヘッドを生成しているため、従来のＳＴＭ−１６再生中継トランスポンダを使用し、更なる長距離伝送が可能としている。
【００３２】
より詳述すると、ＳＴＭクライアント伝送装置送信部１からのＳＴＭ−６４信号はトランスポンダ送信部２により４つの並列ＳＴＭ−１６信号に分離され、光多重部３にて多重化される。その出力は光ファイバ４ａにより伝送され、光分離部８へ入力される。
【００３３】
この光分離部８において、再び、４つの並列光信号に分離され、各光信号はＳＴＭ−１６再生中継トランスポンダ９へそれぞれ入力されて、電気信号に変換されて再生される。再生された電気信号は再度光信号に変換されて光多重部１０にて多重化され、光ファイバ４ｂにて伝送される。光ファイバ４ｂの出力は、光分離部５、トランスポンダ受信部６、ＳＴＭ−６４クライアント伝送装置受信部７を、この順に通過して、先の例と同一の処理が行われることになる。
【００３４】
本構成においては、クライアント信号がＳＴＭ−６４である場合を例としてあげているが、ＳＴＭ−６４の他にも、クライアント信号をＳＴＭ−２５６として、ＷＤＭ多重をＳＴＭ−１６の１６波長多重で構成してもよい。
【図面の簡単な説明】
【００３５】
【図１】本発明の一実施の形態のブロック図である。
【図２】図１のトランスポンダ送信部２の詳細ブロック図である。
【図３】図１のトランスポンダ受信部６の詳細ブロック図である。
【図４】図２の電気分離回路２２におけるオーバーヘッドの分離動作の概略を示す図である。
【図５】図２の電気分離回路２２におけるオーバーヘッドの分離動作の詳細を示す図である。
【図６】図２の電気分離回路２２におけるペイロードの分離動作を示す図である。
【図７】図３の電気多重回路６２におけるオーバーヘッドの多重動作を示す図である。
【図８】図３の電気多重回路６２におけるペイロードの多重動作を示す図である。
【図９】本発明の他の実施の形態のブロック図である。
【符号の説明】
【００３６】
１  ＳＴＭ−６４クライアント伝送装置送信部
２  トランスポンダ送信部
３，１０  光多重部
４，４ａ，４ｂ  光ファイバ
５，８  光分離部
６  トランスポンダ受信部
７  ＳＴＭ−６４クライアント伝送装置受信部
９  ＳＴＭ−１６再生中継トランスポンダ
２１，６１  光／電気変換回路
２２  電気分離回路
２３，６３  電気／光変換回路
６２  電気多重回路
【図１】
2005333286.tif 000003
【図２】
2005333286.tif 000004
【図３】
2005333286.tif 000005
【図４】
2005333286.tif 000006
【図５】
2005333286.tif 000007
【図６】
2005333286.tif 000008
【図７】
2005333286.tif 000009
【図８】
2005333286.tif 000010
【図９】
2005333286.tif 000011